(57)【要約】【課題】  Ｆコードなどの特殊なプロトコルを使用することなく、受信したファクシミリを、親展性を確保しつつ保存するファクシミリ装置を得る。【解決手段】  ファクシミリ制御部３１は、受信ファクシミリのファクシミリ画像データを取得する。サブボックス生成部３２は、（ａ）そのファクシミリ画像データから受信者情報または送信者情報を抽出し、（ｂ）その受信者情報またはその送信者情報に連続的に含まれている、受信者または送信者についての、会社名、１または複数の所属組織名、並びに名称を特定し、（ｃ）特定した会社名、１または複数の所属組織名、並びに名称に基づいて、階層的にサブボックスを生成する。ファクシミリ管理部３３は、階層的に生成されたサブボックスのうち、受信者または送信者の名称と同一の名称を有する最下層のサブボックスに、ファクシミリ画像データを格納する。【選択図】  図１
2018121133.tif 000002
【特許請求の範囲】
【請求項１】
受信ファクシミリのファクシミリ画像データを取得するファクシミリ制御部と、
（ａ）前記ファクシミリ画像データから受信者情報または送信者情報を抽出し、（ｂ）前記受信者情報または前記送信者情報に連続的に含まれている、受信者または送信者についての、会社名、１または複数の所属組織名、並びに名称を特定し、（ｃ）特定した前記会社名、前記１または複数の所属組織名、並びに前記名称に基づいて、階層的にサブボックスを生成するサブボックス生成部と、
階層的に生成された前記サブボックスのうち、前記名称と同一の名称を有する最下層のサブボックスに、前記ファクシミリ画像データを格納するファクシミリ管理部と、
を備えることを特徴とするファクシミリ装置。
【請求項２】
前記サブボックス生成部は、サブボックス生成ルールデータに従って、階層的にサブボックスを生成し、
前記サブボックス生成ルールデータは、受信者または送信者ごとに設定され、前記会社名、前記１または複数の所属組織名、並びに前記名称のそれぞれについて、サブボックスの生成要否を示すデータであること、
を特徴とする請求項１記載のファクシミリ装置。
【請求項３】
前記サブボックス生成部は、前記サブボックスに対してパスワードを設定し、
前記ファクシミリ管理部は、（ａ）前記ファクシミリ画像データを指定する出力要求とともにパスワードを取得し、（ｂ１）取得した前記パスワードと、前記出力要求により指定された前記ファクシミリ画像データを含む前記サブボックスに設定した前記パスワードとが同一である場合、前記出力要求により指定された前記ファクシミリ画像データを出力し、（ｂ２）取得した前記パスワードと、前記出力要求により指定された前記ファクシミリ画像データを含む前記サブボックスに設定した前記パスワードとが同一ではない場合、前記出力要求により指定された前記ファクシミリ画像データを出力しないこと、
を特徴とする請求項１または請求項２記載のファクシミリ装置。
【請求項４】
前記ファクシミリ管理部は、前記出力要求とともに取得した前記パスワードと、前記出力要求により指定された前記ファクシミリ画像データを含む前記サブボックスに設定した前記パスワードとが同一ではない場合、（ｂ２１）取得した前記パスワードが、前記出力要求により指定された前記ファクシミリ画像データを含む前記サブボックスより上位の前記サブボックスに設定された前記パスワードと同一であるときには、前記出力要求により指定された前記ファクシミリ画像データを出力し、（ｂ２２）取得した前記パスワードが、前記出力要求により指定された前記ファクシミリ画像データを含む前記サブボックスより上位の前記サブボックスに設定された前記パスワードと同一ではないときには、前記出力要求により指定された前記ファクシミリ画像データを出力しないことを特徴とする請求項３記載のファクシミリ装置。
【請求項５】
前記ファクシミリ管理部は、前記出力要求とともに取得した前記パスワードと、前記出力要求により指定された前記ファクシミリ画像データを含む前記サブボックスに設定した前記パスワードとが同一ではない場合、（ｂ２１）取得した前記パスワードが、前記出力要求により指定された前記ファクシミリ画像データを含む前記サブボックスより下位の前記サブボックスに設定された前記パスワードと同一であるときには、前記出力要求により指定された前記ファクシミリ画像データを出力し、（ｂ２２）取得した前記パスワードが、前記出力要求により指定された前記ファクシミリ画像データを含む前記サブボックスより下位の前記サブボックスに設定された前記パスワードと同一ではないときには、前記出力要求により指定された前記ファクシミリ画像データを出力しないことを特徴とする請求項３記載のファクシミリ装置。
【請求項６】
前記サブボックス生成部は、（ａ）優先順位データに従って、受信者情報優先モードおよび送信者情報優先モードのいずれかを選択し、（ｂ１）前記受信者情報優先モードを選択した場合、前記受信者情報が前記ファクシミリ画像データから抽出されたときには、前記受信者情報に連続的に含まれている、受信者についての、会社名、１または複数の所属組織名、並びに名称を特定し、特定した前記会社名、前記１または複数の所属組織名、並びに前記名称に基づいて、階層的にサブボックスを生成し、前記受信者情報が前記ファクシミリ画像データから抽出されないときには、前記送信者情報に連続的に含まれている、送信者についての、会社名、１または複数の所属組織名、並びに名称を特定し、特定した前記会社名、前記１または複数の所属組織名、並びに前記名称に基づいて、階層的にサブボックスを生成し、（ｂ２）前記送信者情報優先モードを選択した場合、前記送信者情報が前記ファクシミリ画像データから抽出されたときには、前記送信者情報に連続的に含まれている、送信者についての、会社名、１または複数の所属組織名、並びに名称を特定し、特定した前記会社名、前記１または複数の所属組織名、並びに前記名称に基づいて、階層的にサブボックスを生成し、前記送信者情報が前記ファクシミリ画像データから抽出されないときには、前記受信者情報に連続的に含まれている、受信者についての、会社名、１または複数の所属組織名、並びに名称を特定し、特定した前記会社名、前記１または複数の所属組織名、並びに前記名称に基づいて、階層的にサブボックスを生成することを特徴とする請求項１から請求項５のうちのいずれか１項記載のファクシミリ装置。
【発明の詳細な説明】
【技術分野】
【０００１】
本発明は、ファクシミリ装置に関するものである。
【背景技術】
【０００２】
あるファクシミリ装置（以下、第１のファクシミリ装置という）は、受信したファクシミリ情報に対してＯＣＲ（Optical Character Recognition）処理を実行して、ファクシミリの宛先名を特定し、特定した宛先名に一致する名称または最も類似する名称のメールボックスに、そのファクシミリ情報を格納している（例えば特許文献１参照）。
【０００３】
別のファクシミリ装置（以下、第２のファクシミリ装置という）は、親展通信のために、サブアドレス情報としてＦコードがファクシミリ画像情報に付されている場合、そのＦコードにより指定された私書箱（Ｆコードボックス）へその画像情報を格納している（例えば特許文献２参照）。
【先行技術文献】
【特許文献】
【０００４】
【特許文献１】特開平０７−２０３１６１号公報
【特許文献２】特開２００４−３５６９８７号公報
【発明の概要】
【発明が解決しようとする課題】
【０００５】
しかしながら、第１のファクシミリ装置において、宛先名に一致する名称のメールボックスにファクシミリ情報を格納しようとする場合には、ユーザーが多いときにはメールボックスの数がユーザー数に応じて非常に多くなる可能性があり、ユーザーが自己のメールボックスをメールボックスリストから見つけにくくなってしまう。さらに、ユーザーが自己のメールボックスを選択する場合に、他の組織に所属するユーザーのメールボックスも眼につきやすくなってしまい、親展性の観点から好ましくない。
【０００６】
また、第１のファクシミリ装置において、宛先名に最も類似する名称のメールボックスにファクシミリ情報を格納しようとする場合には、複数ユーザー宛てのファクシミリ情報が１つのメールボックスに格納され混在してしまう可能性があり、親展性の観点から好ましくない。
【０００７】
なお、第２のファクシミリ装置では、親展性は確保されるものの、Ｆコードの設定値と受信側のＦコードボックスとを予め関連付けておく必要があり、Ｆコードの設定作業が煩雑である。さらに、そのようなＦコードが事前に設定されていない場合には、親展性は確保されない。
【０００８】
本発明は、上記の問題に鑑みてなされたものであり、Ｆコードなどの特殊なプロトコルを使用することなく、受信したファクシミリを、親展性を確保しつつ保存するファクシミリ装置を得ることを目的とする。
【課題を解決するための手段】
【０００９】
本発明に係るファクシミリ装置は、受信ファクシミリのファクシミリ画像データを取得するファクシミリ制御部と、（ａ）前記ファクシミリ画像データから受信者情報または送信者情報を抽出し、（ｂ）前記受信者情報または前記送信者情報に連続的に含まれている、受信者または送信者についての、会社名、１または複数の所属組織名、並びに名称を特定し、（ｃ）特定した前記会社名、前記１または複数の所属組織名、並びに前記名称に基づいて、階層的にサブボックスを生成するサブボックス生成部と、階層的に生成された前記サブボックスのうち、前記名称と同一の名称を有する最下層のサブボックスに、前記ファクシミリ画像データを格納するファクシミリ管理部とを備える。
【発明の効果】
【００１０】
本発明によれば、受信ファクシミリのファクシミリ画像データが、会社名および所属組織名、受信者または送信者の名称などに対応するサブボックスの階層構造における最下層の受信者または送信者固有のサブボックスに格納されるため、ユーザーが（受信者としての）自己のサブボックス内のファクシミリ画像データや自己宛てファクシミリの送信者のサブボックス内のファクシミリ画像データを閲覧する際に、そのユーザーに関係のないサブボックスがそのユーザーの眼に付きにくくなり、Ｆコードなどの特殊なプロトコルを使用することなく、受信したファクシミリが、親展性を確保しつつ保存される。
【００１１】
本発明の上記又は他の目的、特徴および優位性は、添付の図面とともに以下の詳細な説明から更に明らかになる。
【図面の簡単な説明】
【００１２】
【図１】図１は、本発明の実施の形態に係る画像形成装置の構成を示すブロック図である。
【図２】図２は、図１におけるサブボックス生成ルールデータ４１の一例を示す図である。
【図３】図３は、図１におけるサブボックス生成部３２により生成されるサブボックスの階層構造の一例を示す図である。
【図４】図４は、図１に示すファクシミリ装置１の動作について説明するフローチャートである。
【発明を実施するための形態】
【００１３】
以下、図に基づいて本発明の実施の形態を説明する。
【００１４】
図１は、本発明の実施の形態に係る画像形成装置の構成を示すブロック図である。図１に示すファクシミリ装置１は、例えば複合機であって、ファクシミリ機能（ＩＴＵ−Ｔ Ｔ．３６規格など）、インターネットファクシミリ機能（ＩＴＵ−Ｔ Ｔ．３７規格）、およびＩＰファクシミリ機能（ＩＴＵ−Ｔ Ｔ．３８規格）を有する。
【００１５】
図１に示すように、この画像形成装置１は、操作パネル１１、通信装置２１、印刷装置２２、画像読取装置２３、モデム２４、演算処理装置２５、および記憶装置２６を備える。
【００１６】
操作パネル１１は、液晶ディスプレイなどの表示装置、およびタッチパネルなどの入力装置を備え、ユーザーに対する操作画面の表示およびユーザー操作の検出を行う。
【００１７】
また、通信装置２１は、コンピューターネットワークに接続されており、コンピューターネットワークを介して直接または間接的に他のファクシミリ装置との間でデータ通信を行う装置である。
【００１８】
また、印刷装置２２は、例えば電子写真方式で原稿画像を印刷用紙に印刷する内部デバイスである。印刷装置２２は、元の画像データに対して、ラスタライズ、色変換、スクリーン処理などの所定の画像処理を施して生成された出力画像データに基づき印刷を行う。
【００１９】
また、画像読取装置２３は、原稿から原稿画像を光学的に読み取り、原稿画像の画像データを生成する内部デバイスである。
【００２０】
また、モデム２４は、電話回線を介して他のファクシミリ装置との間で通信を行う装置である。
【００２１】
以下、インターネットファクシミリ、ＩＰファクシミリ、ファクシミリなどで受信したファクシミリデータに基づき得られる画像データをファクシミリ画像データという。
【００２２】
また、演算処理装置２５は、ＣＰＵ（Central Processing Unit）、ＲＯＭ（Read Only Memory）、ＲＡＭ（Random Access Memory）などを有するコンピューターであり、ＲＯＭなどに記憶されているプログラムをＲＡＭへロードし、そのプログラムをＣＰＵで実行することにより、各種処理部として動作する。演算処理装置２５は、ファクシミリ制御部３１、サブボックス生成部３２、およびファクシミリ管理部３３として動作する。
【００２３】
また、記憶装置２６は、フラッシュメモリーなどの不揮発性の記憶装置であって、階層構造におけるいずれかのメールボックスにファクシミリ画像データを格納する。
【００２４】
また、記憶装置２６は、サブボックス生成ルールデータ４１を格納している。
【００２５】
サブボックス生成ルールデータ４１は、受信者または送信者ごとに設定され、受信者または送信者の会社名、受信者または送信者の１または複数の所属組織名、並びに受信者または送信者の名称のそれぞれについて、サブボックスの生成要否を示すデータである。
【００２６】
図２は、図１におけるサブボックス生成ルールデータ４１の一例を示す図である。なお、図２は、複数のグループ企業などといった複数の会社（Ａ株式会社、株式会社Ｂ、およびＣ株式会社）がファクシミリ装置１を共有している場合のものである。
【００２７】
サブボックス生成ルールデータ４１は、受信者情報に適用される受信者情報ルールと、送信者情報に適用される送信者情報ルールとを含む。
【００２８】
例えば、受信者としての「Ａ株式会社」用の受信者情報ルールでは、受信者情報の最初の語句である「会社名」と同一名称のサブボックスが生成され、受信者情報の次の語句である「組織＃１」と同一名称のサブボックスが、「会社名」サブボックスの下位サブボックスとして生成され、受信者情報のそれ以降の語句（「組織＃２」、「組織＃３」、および「差出人」）に対応する下位サブボックスは生成されない。
【００２９】
なお、サブボックス生成ルールデータ４１にはデフォルトのサブボックス生成ルールを含んでいてもよい。その場合、サブボックス生成ルールが個別的に設定されている特定の会社名が受信者情報または送信者情報において検出されない場合には、デフォルトのサブボックス生成ルールが使用される。
【００３０】
ファクシミリ制御部３１は、通信装置２１またはモデム２４から受信ファクシミリのファクシミリ画像データを取得する。
【００３１】
サブボックス生成部３２は、（ａ）ＯＣＲ技術で、取得されたファクシミリ画像データから受信者情報または送信者情報を抽出し、（ｂ）その受信者情報またはその送信者情報に連続的に含まれている、受信者または送信者についての、会社名、１または複数の所属組織名、並びに名称を特定し、（ｃ）特定した会社名、１または複数の所属組織名、並びに名称に基づいて、階層的にサブボックスを生成する。
【００３２】
この実施の形態では、サブボックス生成部３２は、設定データとしての優先順位データに従って、受信者情報優先モードおよび送信者情報優先モードのいずれかを選択する。
【００３３】
受信者情報優先モードを選択した場合、サブボックス生成部３２は、サブボックス生成ルールデータ４１における受信者情報ルールを使用して、（ａ）受信者情報がファクシミリ画像データから抽出されたときには、（送信者情報が抽出されても、）受信者情報に連続的に含まれている、受信者についての、会社名、１または複数の所属組織名、並びに受信者の名称を特定し、特定した会社名、１または複数の所属組織名、並びに名称に基づいて、階層的にサブボックスを生成し、（ｂ）受信者情報がファクシミリ画像データから抽出されないときには、送信者情報に連続的に含まれている、送信者についての、会社名、１または複数の所属組織名、並びに名称を特定し、特定した会社名、１または複数の所属組織名、並びに送信者の名称に基づいて、階層的にサブボックスを生成する。
【００３４】
送信者情報優先モードを選択した場合、サブボックス生成部３２は、サブボックス生成ルールデータ４１における送信者情報ルールを使用して、（ａ）送信者情報がファクシミリ画像データから抽出されたときには、送信者情報に連続的に含まれている、送信者についての、会社名、１または複数の所属組織名、並びに送信者の名称を特定し、特定した会社名、１または複数の所属組織名、並びに送信者の名称に基づいて、階層的にサブボックスを生成し、（ｂ）送信者情報がファクシミリ画像データから抽出されないときには、受信者情報に連続的に含まれている、受信者についての、会社名、１または複数の所属組織名、並びに受信者の名称を特定し、特定した会社名、１または複数の所属組織名、並びに受信者の名称に基づいて、階層的にサブボックスを生成する。
【００３５】
例えば、所定の語句（例えば「宛先」）に続く語句が、受信者情報として抽出される。また、例えば、所定の語句（例えば「差出人」）に続く語句が、送信者情報として抽出される。
【００３６】
なお、サブボックス生成部３２は、生成すべきサブボックスが既に存在する場合には、その生成すべきサブボックスの生成を省略する。
【００３７】
この実施の形態では、サブボックス生成部３２は、サブボックス生成ルールデータ４１に従って、階層的にサブボックスを生成する。
【００３８】
図３は、図１におけるサブボックス生成部３２により生成されるサブボックスの階層構造の一例を示す図である。
【００３９】
例えば、抽出された受信者情報が、「株式会社Ｂ  事業本部  資材部  資材第１課  山田太郎」である場合には、「株式会社Ｂ」が検出されるため、サブボックス生成ルールデータ４１における「株式会社Ｂ」の受信者情報ルールが選択される。
【００４０】
ここで、図２に示すサブボックス生成ルールデータ４１における「会社名」として、受信者情報の最初の語句である「株式会社Ｂ」が特定され、「組織＃１」として、次の語句である「事業本部」が特定され、「組織＃２」として、さらに次の語句である「資材部」が特定され、「組織＃３」として、さらに次の語句である「資材第１課」が特定され、「宛先名」として、さらに次の語句である「山田太郎」が特定される。
【００４１】
そして、図３に示すように、まず、名称「株式会社Ｂ」のサブボックスが生成され、サブボックス「株式会社Ｂ」の下位サブボックスとして名称「事業本部」のサブボックスが生成され、サブボックス「事業本部」の下位サブボックスとして名称「資材部」のサブボックスが生成され、サブボックス「資材部」の下位サブボックスとして名称「資材第１課」のサブボックスが生成され、サブボックス「資材第１課」の下位サブボックスとして名称「山田太郎」のサブボックスが生成される。
【００４２】
ファクシミリ管理部３３は、階層的に生成されたサブボックスのうち、受信者または送信者の名称と同一の名称を有する最下層のサブボックスに、取得したファクシミリ画像データを格納する。上述の例では、サブボックス「山田太郎」に、取得したファクシミリ画像データが格納される。
【００４３】
また、ファクシミリ管理部３３は、出力要求に応じて、サブボックス内に格納されているファクシミリ画像データを出力する。その際、例えば、ファクシミリ管理部３３は、ファクシミリ画像データに基づくファクシミリ画像を、印刷装置２２を使用して印刷したり、操作パネル１１に表示したり、あるいは、通信装置２１を使用して、ファクシミリ画像データを所定の宛先に送信する。なお、この出力要求は、ユーザー操作に基づき操作パネル１１から入力されたり、図示せぬホスト装置から受信されたりする。
【００４４】
なお、サブボックス生成部３２は、サブボックスに対してパスワードを設定することができる。このパスワードは、ユーザーによって指定されてもよいし、既定のものとしてもよい。ファクシミリ管理部３３は、（ａ）ファクシミリ画像データを指定する出力要求とともにパスワードを取得し、（ｂ１）取得したパスワードと、その出力要求により指定されたファクシミリ画像データを含むサブボックスに設定したパスワードとが同一である場合、その出力要求により指定されたファクシミリ画像データを出力し、（ｂ２）取得したパスワードと、その出力要求により指定されたファクシミリ画像データを含むサブボックスに設定したパスワードとが同一ではない場合、その出力要求により指定されたファクシミリ画像データを出力しない。
【００４５】
次に、当該実施の形態に係るファクシミリ装置１の動作について説明する。図４は、図１に示すファクシミリ装置１の動作について説明するフローチャートである。
【００４６】
通信装置２１またはモデム２４によりファクシミリが受信されると、ファクシミリ制御部３１は、通信装置２１またはモデム２４からファクシミリ画像データを取得する（ステップＳ１）。
【００４７】
ファクシミリ画像データが取得されると、サブボックス生成部３２は、まず、優先順位データにより受信者情報モードが指定されているか否かを判定する（ステップＳ２）。
【００４８】
優先順位データにより受信者情報モードが指定されている場合、サブボックス生成部３２は、受信者情報モードにおいて、ファクシミリ画像データから受信者情報を抽出し（ステップＳ３）、サブボックス生成ルール４１における受信者情報ルールに従って、このファクシミリ画像データの格納に必要な、抽出した受信者情報に対応するサブボックス階層構造を特定する（ステップＳ４）。
【００４９】
なお、ステップＳ３においてファクシミリ画像データから受信者情報が抽出されない場合には、サブボックス生成部３２の動作モードが受信者情報モードから送信者情報モードに切り替えられ、ステップＳ５およびＳ６の処理が実行される。
【００５０】
一方、優先順位データにより受信者情報モードが指定されていない場合（つまり、優先順位データにより送信者情報モードが指定されている場合）、サブボックス生成部３２は、送信者情報モードにおいて、ファクシミリ画像データから送信者情報を抽出し（ステップＳ５）、サブボックス生成ルール４１における送信者情報ルールに従って、このファクシミリ画像データの格納に必要な、抽出した送信者情報に対応するサブボックス階層構造を特定する（ステップＳ６）。
【００５１】
なお、ステップＳ５においてファクシミリ画像データから受信者情報が抽出されない場合には、サブボックス生成部３２の動作モードが送信者情報モードから受信者情報モードに切り替えられ、ステップＳ３およびＳ４の処理が実行される。
【００５２】
そして、サブボックス生成部３２は、記憶装置２６において、特定したサブボックス階層構造が既に存在するか否かを判定し（ステップＳ７）、特定したサブボックス階層構造が存在しない場合には、不足するサブボックスを生成し、特定したサブボックス階層構造を完成する（ステップＳ８）。
【００５３】
このようにして、ファクシミリ画像データに対応するサブボックス階層構造が得られると、ファクシミリ管理部３３は、そのサブボックス階層構造における最下層のサブボックスに、そのファクシミリ画像データを格納する（ステップＳ９）。
【００５４】
その後、ユーザーは、図示せぬホスト装置や操作パネル１１を操作して、サブボックスを指定してファクシミリ閲覧要求をファクシミリ装置１に入力し、そのサブボックス内のファクシミリ画像データのリストを閲覧し、そのリスト内から所望のファクシミリ画像データを選択し、選択したファクシミリ画像データを指定する出力要求をファクシミリ装置１に入力する。
【００５５】
ファクシミリ管理部３３は、出力要求を受け付けると、出力要求により指定されたファクシミリ画像データを出力する。なお、このとき、そのファクシミリ画像データを含むサブボックスにパスワードが設定されている場合には、上述のように、パスワード認証に成功した後にファクシミリ画像データが出力される。
【００５６】
以上のように、上記実施の形態によれば、ファクシミリ制御部３１は、受信ファクシミリのファクシミリ画像データを取得する。サブボックス生成部３２は、（ａ）そのファクシミリ画像データから受信者情報または送信者情報を抽出し、（ｂ）その受信者情報またはその送信者情報に連続的に含まれている、受信者または送信者についての、会社名、１または複数の所属組織名、並びに名称を特定し、（ｃ）特定した会社名、１または複数の所属組織名、並びに名称に基づいて、階層的にサブボックスを生成する。ファクシミリ管理部３３は、階層的に生成されたサブボックスのうち、受信者または送信者の名称と同一の名称を有する最下層のサブボックスに、ファクシミリ画像データを格納する。
【００５７】
これにより、受信ファクシミリのファクシミリ画像データが、会社名および所属組織名、受信者または送信者の名称などに対応するサブボックスの階層構造における最下層の受信者または送信者固有のサブボックスに格納されるため、ユーザーが（受信者としての）自己のサブボックス内のファクシミリ画像データや自己宛てファクシミリの送信者のサブボックス内のファクシミリ画像データを閲覧する際に、そのユーザーに関係のないサブボックスがそのユーザーの眼に付きにくくなり、Ｆコードなどの特殊なプロトコルを使用することなく、受信したファクシミリが、親展性を確保しつつ保存される。
【００５８】
なお、上述の実施の形態に対する様々な変更および修正については、当業者には明らかである。そのような変更および修正は、その主題の趣旨および範囲から離れることなく、かつ、意図された利点を弱めることなく行われてもよい。つまり、そのような変更および修正が請求の範囲に含まれることを意図している。
【００５９】
例えば、上記実施の形態において、ファクシミリ管理部３３は、出力要求とともに取得したパスワードと、出力要求により指定されたファクシミリ画像データを含むサブボックスに設定したパスワードとが同一ではない場合、（ａ）取得したパスワードが、出力要求により指定されたファクシミリ画像データを含むサブボックスより上位のサブボックスに設定されたパスワードと同一であるときには、その出力要求により指定されたファクシミリ画像データを出力し、（ｂ）取得したパスワードが、出力要求により指定されたファクシミリ画像データを含むサブボックスより上位のサブボックスに設定されたパスワードと同一ではないときには、その出力要求により指定されたファクシミリ画像データを出力しないようにしてもよい。
【００６０】
また、上記実施の形態において、ファクシミリ管理部３３は、出力要求とともに取得したパスワードと、出力要求により指定されたファクシミリ画像データを含むサブボックスに設定したパスワードとが同一ではない場合、（ａ）取得したパスワードが、出力要求により指定されたファクシミリ画像データを含むサブボックスより下位のサブボックスに設定されたパスワードと同一であるときには、その出力要求により指定されたファクシミリ画像データを出力し、（ｂ）取得したパスワードが、出力要求により指定されたファクシミリ画像データを含むサブボックスより下位のサブボックスに設定されたパスワードと同一ではないときには、その出力要求により指定されたファクシミリ画像データを出力しないようにしてもよい。
【産業上の利用可能性】
【００６１】
本発明は、例えば、ファクシミリ装置に適用可能である。
【符号の説明】
【００６２】
１  ファクシミリ装置
３１  ファクシミリ制御部
３２  サブボックス生成部
３３  ファクシミリ管理部
４１  サブボックス生成ルールデータ
【図１】
2018121133.tif 000003
【図２】
2018121133.tif 000004
【図３】
2018121133.tif 000005
【図４】
2018121133.tif 000006